(57)【要約】      （修正有）【課題】新聞等使用済み紙類を集積収容したまま堅く結束して容易に取り出すことのできるインテリア容器を提供する。【解決手段】天面部フラップの無い組立式段ボール箱１の要所に紐の仮留め用切り込みを施し、箱の底面を除いた外面をカバー２で被覆し、外部からは紐留めや結束紐、収容箱、収容枠が見えないようにする。さらに、高さ４０ｃｍ以下、厚み１．５ｃｍ〜５ｃｍの横断面略Ｌ字形柱状収容位置規制部材３ａ一本を箱の内壁コーナー部に沿って着脱自在に立設することによって、シンプルな構造でよりコンパクトな結束を実現し、容易に荷を取り出せるようにする。【選択図】図１
0003193775.tif 000002
【実用新案登録請求の範囲】
【請求項１】
天面部フラップの無い組立式段ボール箱の要所に紐の仮留め用切り込みを施し、
該箱の底面を除いた外面をカバーで被覆し、
さらに、高さ４０ｃｍ以下、厚み１．５ｃｍ〜５ｃｍの横断面略Ｌ字形柱状収容位置規制部材一本を該箱の内壁コーナー部に沿って着脱自在に立設する。
以上の構成を特徴とする使用済み紙類結束補助容器。
【請求項２】
天面部フラップの無い組立式段ボール箱の要所に紐の仮留め用切り込みを施し、
高さ４０ｃｍ以下、厚み１．５ｃｍ〜５ｃｍの横断面略Ｌ字形柱状収容位置規制部材一本を、該箱の内壁コーナー部に沿って着脱自在に立設する。
以上の構成を特徴とする使用済み紙類結束補助収容箱。
【請求項３】
天面が開口した収容箱ないし収納枠の要所に紐の仮留め部を配し、
該収容箱ないし収容枠を天面が開口したカバー容器の中に収置する、または外面をカバーで被覆する。
さらに、高さ４０ｃｍ以下、厚み１．５ｃｍ〜５ｃｍの横断面略Ｌ字形柱状収容位置規制部材を前記収容箱ないし収容枠の内壁コーナー部に沿って着脱自在に立設する。
以上の構成を特徴とする使用済み紙類結束補助容器。
【請求項４】
使用済み紙類の結束を補助するための収容箱ないし収容枠の内壁コーナー部に沿って立設される柱状の収容位置規制部材であって、
該立設によって、前記コーナー部を形成する両側壁の其々６ｃｍ〜１０ｃｍに亘って該側壁と被収容物との間隔が１．５ｃｍ以上に保たれるように構成されていることを特徴とする収容位置規制部材。
【考案の詳細な説明】
【技術分野】
【０００１】本考案は古新聞等使用済み紙類を集積収容したまま結束して取り出すための容器に関する
【背景技術】
【０００２】従来、古新聞等を集積収容したまま結束して取り出すための容器として新聞ストッカーや様々な形態のラック等が市販されている。
【考案の概要】
【考案が解決しようとする課題】
【０００３】しかし、それらには次のような欠点がある。（イ）底部や側部の開閉、あるいは大きな切り欠きを設けるなど、集積収容した紙類を結束して取り出すための構造が煩瑣であり、そのために外観が拙いわりに高価である。さもなければ、結束がルーズになって荷がくずれやすい。あるいは荷と容器内壁との摩擦抵抗が強くて荷を取り出しにくい。（ロ）取り出し時に荷が閊えたり引っ掛かったりすることのないような材質に限定され、デザインも限定されるために、インテリアとして違和感がある。（ハ）予めセットした結束紐の一部が容器の外部に露出するなど、居室に置くには体裁がよくない。
本考案は以上の欠点を除くためになされた。
【課題を解決するための手段】
【０００４】収容整理及び結束補助機能を備えた収容箱ないし収容枠をカバーで被覆する、またはカバー容器内に収置することによって、結束紐や紐留め、収容箱、収容枠、古新聞などが外部からは見えない、あるいは目立たないようにする。【０００５】カバーないしカバー容器を施すのに障害になる底部や側部の開閉等の必要性をなくすために、本考案は、収容箱ないし収容枠の内壁コーナー部に沿って収容位置を規制して余裕スペースを確保するための柱状部材を着脱自在に設け、結束した荷を取り出す直前に該部材を引き抜くことによって収容箱の内壁と荷の間の摩擦抵抗を著しく軽減させる構造にする
【考案の効果】
【０００６】前記構造によって、使用済み紙類がバラつくことなく集積収容されるため、より引き締まった結束が可能になり、さらに、結束した荷を取り出し易くするために底部や側部を開放する必要がなく、容器ごと荷をひっくり返すなどの手間もなしに、簡単容易に荷を取り出すことができる。【０００７】カバー部ないしカバー容器によって、予めセットされた結束紐や紐留め、収容箱、収容枠などは隠れて見えなくなる、あるいは目立たなくなるので、安めの材料で十分な機能を実現させることができる。【０００８】カバー容器ないしカバー部としては、収容箱が無くては紙類が閊えやすい、あるいは引っ掛りやすい籐や柳、竹、紙紐、ストローなどの編み籠、透かし模様の木箱も可能であり、さらに、布やニット、レースなど、自立できない素材も可能である。したがって、シンプルなものから凝ったデザインまで可能性が多様に広がり、外観はお洒落な容器であって、しかも十分な機能を備えた使用済み紙類結束補助容器を低価格で提供することができる。
【考案を実施するための形態】
【０００９】図１は本願考案を実施するための第一の形態を示す図である。天面部フラップの無い組立式段ボール箱の各側壁上端と下端に紐の仮留め用切り込みを施し、持ち手用切り欠きを設け（図２参照）、該箱の底面を除いた外面を布製カバー２で被覆する。さらに、該箱の内壁コーナー部に収容位置を規制して中身を取り出し易くする余裕スペース１４（図４Ｅ参照）を確保するための収容位置規制部材３ａを設置する。該部材は、図３に示すように、段ボール製略長方形ブランクの相対する両端から罫線７ａ、７ｂ、７ｃ、７ｄ、７ｅ、７ｆに沿って折り込み、両端に施された嵌合凸部四片８ａ、８ｂ、８ｃ、８ｄを該ブランク中央域上部と下部の嵌合ホール９ａ、９ｂにて其々左右の二片を嵌め入れて縦長と横長の四角柱を計二本形成し、縦長四角柱の差込み片１０を横長四角柱のロック用切り欠き１１に係合させて高さ約２５ｃｍ、厚みが約３ｃｍの横断面略Ｌ字形柱状に組み立てて固定したものである。各紐留めは各側壁中央より約１．５ｃｍ（収容位置規制部材の厚みの半分）外れて位置する。容器の大きさは縦幅約３６ｃｍ、横幅約２６ｃｍ、高さ約２５．５ｃｍである。
【００１０】以下は、前記第一の形態の使用法の一例である。
（１）切り込み４ａ、５ａ、５ｃ、４ｃ、４ｂ、５ｂ、５ｄ、４ｄの順に結束紐１２を挟みながらセットする。その際、図４Ｂに示すように、カバー下端をやや引き上げ、上端はやや下げて切り込みを露出させる。紐の先端は箱とカバーの間に挿み入れる。
（２）図４Ｃに示すように、長辺部短辺部ともに紐留め位置から遠いほうのコーナーに収容位置規制部材５ａを設置する。その際クリップなどで本体に仮留めすればより安定する
（３）随時新聞１３を積み入れて適宜集積したところで各切り込み５ａ、５ｂ、５ｃ、５ｄ、４ａ、４ｂ、４ｃ、４ｄから紐を外す（図４Ｄ参照）。
（４）結束完了後、収容位置規制部材を引き抜くようにして箱から取り外して余裕スペース１４をひろげる（図４Ｅ参照）。  （５）結束した荷をとり出す。
【００１１】本実施例では、カバー部外面に紐の巻き玉と鋏等を収納するポケットを施すことができる＊持ち手用切り欠き部分はカバーをやや押し込んで使用することができる。
【００１２】図５Ａは本願考案に係る第二の形態の蓋を開けた状態を示す斜視図である。天面部フラップの無い組立式段ボール箱の内側に仕切り１５を設けて二つの収容部に分け、第一の収容部１６に紐の仮留め用切り込みを施して、該箱の底面を除いた外面全体を布製カバーで被覆し、さらに、第一の収容部内壁コーナーに沿って収容位置規制部材を着脱自在に設置する。該収容位置規制部材３ｂは、図５Ｂに示すような段ボール製ブランクを、図５Ｃに示すように折り罫線１７ｇ、１７ｈ、１７ｉ、１７ｊ、１７ｋ、１７ｌに沿って折り込み、当接する部分の一部を接着して固定したものである。仕切り１５は、要所に紐留め用切り込みと折り罫線を施したブランクを組み立てて、本体の相対するコーナーを閊えにして固定したものである。第二の収容部１８は紐の巻き玉と鋏等を収納するスペースである。
【００１３】図６は本願考案を実施するための第三の形態の蓋を外した状態を示す平面図および正面図である。紐の仮留め用切り込みを施した収容箱１９をカバー容器２０の中に収置し、該箱内壁コーナー部に沿って収容位置規制部材３ｃを着脱自在に設置する。カバー容器２０は、底面より上面開口部に向かって次第に広くなるテーパー型である。該カバー容器に収容枠１９の下端紐留め部を露出させる透かし模様を施すことによってより安定した紐の配置が可能になる。この実施形態の収容枠と収容位置規制部材３ｃはプラスチック製である。カバー容器内余剰スペース２１には紐の巻き玉と鋏等を収納することができる。
【００１４】云うまでもないが、以上は本願考案を実施するための形態の一部であって、考案の範囲を限定することは意図していない。考案の要旨を逸脱しない範囲で、省略や変形、様々なバリエーションが可能であり、適宜寸法や配置、組合せを変更することができる。
【図面の簡単な説明】
【図１】本願考案実施のための第一形態のＡ蓋を開けた状態を示す斜視図  Ｂ蓋を閉じた状態を示す斜視図とＣ底面図
【図２】Ａ前記第一形態の切り込みと切り欠きを施した段ボール箱を示す斜視図  Ｂ該段ボール箱の折り畳んだ状態を示す斜視図
【図３】Ａ前記第一形態における収容位置規制部材を示す斜視図  Ｂ該部材ブランクを示す平面図  Ｃ該ブランクの組み立て途中を表す斜視図
【図４】前記第一形態の使用状態図  Ａ結束紐をセットした状態を示す斜視図  Ｂ下端カバーを引き上げて切り込みに紐を挟んだ状態を示す正面拡大図  Ｃ収容位置規制部材を設置した状態を示す平面図  Ｄ新聞を積み入れて各紐留めから紐を外した状態を示す斜視図  Ｅ結束完了後に収容位置規制部材を引き抜いた状態を示す平面図
【図５】本願考案に係る第二の形態のＡ蓋を開けた状態を示す全体斜視図  Ｂ収容位置規制部材ブランクを示す平面図  Ｃ前記ブランクの組み立て途中を表す斜視図
【図６】本願考案に係る第三の形態の蓋を外した状態を示すＡ平面図とＢ正面図
【符号の説明】１切り込みと切り欠きを施した段ボール箱    ２カバー    ３ａ収容位置規制部材
４ａ、４ｂ、４ｃ、４ｄ上端切り込み    ５ａ  ５ｂ、５ｃ、５ｄ下端切り込み
６ａ、６ｂ持ち手用切り欠き    ７ａ、７ｂ、７ｃ、７ｄ、７ｅ、７ｆ折り罫線
８ａ、８ｂ、８ｃ、８ｄ嵌合凸部    ９ａ、９ｂ嵌合ホール    １０ロック用差し込み片
１１ロック用切り欠き    １２結束紐    １３新聞    １４余裕スペース    １５仕切り
１６第一の収容部    １７ｇ、１７ｈ、１７ｉ、１７ｊ、１７ｋ、１７ｌ折り罫線
１８第二の収容部    ３ｂ収容位置規制部材    １９収容枠    ２０カバー容器
２１余剰スペース    ３ｃ収容位置規制部材    ２２収容位置規制部材を引き抜いた部分
【図１】
0003193775.tif 000003
【図２】
0003193775.tif 000004
【図３】
0003193775.tif 000005
【図４】
0003193775.tif 000006
【図５】
0003193775.tif 000007
【図６】
0003193775.tif 000008